(57)【要約】【課題】反りなどの材料不良による遊技盤の不良を低減し、かつ、材料の廃棄量を減少させることのできる遊技盤を提供する。【解決手段】分割化及び小型化した複数のベニヤ板４１〜４４に、他のベニヤ板と嵌合するための嵌合部をそれぞれ設けておき、それらを組み合わせることで遊技盤を実現する。【効果】ベニヤ板の材質に依存する不良を低減すると共に、ベニヤ板の廃棄部分を減少させることができる。また、複数のベニヤ板を組み合わせているので、種々の盤面サイズに対応することができる。【選択図】図１
2005168988.tif 000002
【特許請求の範囲】
【請求項１】
複数の部材が接合されることによって構成される遊技盤であって、前記複数の部材は、他の部材と嵌合するための嵌合部をそれぞれ有することを特徴とする遊技盤。
【請求項２】
前記複数の部材が接合された状態の盤面の一主面に当接する第１面と、前記盤面の他主面に当接する第２面と、前記第１面と前記第２面とを接続しかつ前記一主面及び前記他主面以外の面の少なくとも１つの面に当接する面とを含む補強材を更に含むことを特徴とする請求項１記載の遊技盤。
【請求項３】
前記複数の部材が接合された状態の盤面の一主面のうち、前記嵌合部によって接合されている領域を覆う部材を更に含むことを特徴とする請求項１又は２記載の遊技盤。
【請求項４】
前記複数の部材同士が接合された状態において、前記嵌合部に設けられた遊技釘を更に含み、前記遊技釘により、前記複数の部材同士の接合状態を維持するようにしたことを特徴とする請求項１から３のいずれか１項に記載の遊技盤。
【発明の詳細な説明】
【技術分野】
【０００１】
本発明は遊技盤に関し、特にパチンコ機などの遊技機に用いられる遊技盤に関する。
【背景技術】
【０００２】
図１５は、パチンコ機の遊技盤２を示す正面図である。この遊技盤２の表面にはガイドレール４で囲まれた位置に、遊技者が発射した打球が流下する遊技部６が設けられている。
遊技部６には、略中央に特別図柄表示装置８が配置され、この特別図柄表示装置８の下方に始動入賞口１０が配置され、さらにその下方に大入賞口ユニット１２が配置され、最下位置にはアウト口１４が形成されている。また、特別図柄表示装置８に向かって左側及び右側には、特別図柄表示装置８内の普通図柄表示装置（図示せず）の可変表示の契機となるゲート１８が配置されており、上記諸装置の他に、打球の流下方向を変換する風車２０、サイドランプ２２や一般入賞口２４も配置されている。また、遊技部６のうち遊技球が通過可能な領域には、遊技盤面を通過する遊技球の進路を変更するための遊技釘（図示せず）が複数設けられている。
【０００３】
大入賞口ユニット１２は、樹脂製の横長形状の第１ユニット部材３０を遊技部６に固定し、この第１ユニット部材３０の前方にプラスチック製の横長形状の第２ユニット部材３２を突設した状態で始動入賞口１０の下方に配置されている。
大入賞口ユニット１２は大入賞口２６を備えている。この大入賞口２６は、横長形状の入賞用開口２６ａと、この入賞用開口２６ａを開閉するように設けた開閉板２６ｂとを備えている。なお、開閉板２６ｂの開閉動作を行うための駆動ソレノイドや駆動モータ等の駆動手段（図示せず）が遊技部６の裏側に配置されている。
【特許文献１】特開２００３−１９０４６５号公報（段落０００７〜０００９）
【発明の開示】
【発明が解決しようとする課題】
【０００４】
上述した従来の遊技盤を作成するには、図１６に示されているようなベニヤ板を用意するのが一般的である。同図において、木材であるベニヤ板２００を加工し、ハッチングで示されている部分を除去する作業が行われた後、各種の部品が取付けられることによって、図１５に示されているような遊技盤が得られる。すなわち、図１６においては、図１５中のサイドランプ２２に対応する位置に長孔部２２０ａ及び長切欠部２２０ｂが、特別図柄表示装置８に対応する位置に孔部８０が、始動入賞口１０に対応する位置に孔部１００が、大入賞口２６に対応する位置に孔部２６０が、アウト口１４に対応する位置に孔部１４０が、それぞれ設けられている。
【０００５】
このように、従来の遊技盤においては、入賞口やサイドランプなどを設けるための孔を盤面に設ける必要がある。近年、各種の部品、特に特別図柄表示装置８が遊技性を向上させるために大型化している。このため、各種部品、とりわけ特別図柄表示装置８に対応する位置の孔部８０の廃棄面積が拡大するという問題がある。
また、近年、遊技盤自体が大型化する傾向にあるため、材料とする木材の反りを無視できず、遊技盤自体の不良につながるという問題がある。
本発明は上述した従来技術の問題点を解決するためになされたものであり、その目的は反りなどの材料不良による遊技盤の不良を低減し、かつ、材料の廃棄量を減少させることのできる遊技盤を提供することである。
【課題を解決するための手段】
【０００６】
本発明の請求項１による遊技盤は、複数の部材が接合されることによって構成される遊技盤であって、前記複数の部材は、他の部材と嵌合するための嵌合部をそれぞれ有することを特徴とする。分割化及び小型化したベニヤ板に嵌合部を設けておき、それらを組み合わせることにより、ベニヤ板の材質に依存する不良を低減すると共に、ベニヤ板の廃棄部分を減少させることができる。また、複数のベニヤ板を組み合わせているので、種々の盤面サイズに対応することができる。
【０００７】
本発明の請求項２による遊技盤は、請求項１において、前記複数の部材が接合された状態の盤面の一主面に当接する第１面と、前記盤面の他主面に当接する第２面と、前記第１面と前記第２面とを接続しかつ前記一主面及び前記他主面以外の面の少なくとも１つの面に当接する面とを含む補強材を更に含むことを特徴とする。このような補強材を用いて遊技盤を補強することにより、さらに孔部を設けるなど、必要な加工を施しても強度的な問題は生じないので、以降の加工工程は一般的な遊技盤と同様に行うことができる。
【０００８】
本発明の請求項３による遊技盤は、請求項１又は２において、前記複数の部材が接合された状態の盤面の一主面のうち、前記嵌合部によって接合されている領域を覆う部材を更に含むことを特徴とする。このように、センタ役物などの部材で覆って補強することにより、接合強度を増加することができる。
本発明の請求項４による遊技盤は、請求項１から３のいずれか１項において、前記複数の部材同士が接合された状態において、前記嵌合部に設けられた遊技釘を更に含み、前記遊技釘により、前記複数の部材同士の接合状態を維持するようにしたことを特徴とする。遊技盤にもともと設けるべき遊技釘を用いて部材同士の嵌合状態を維持することで、嵌合状態を維持するための固定具などを別に用意する必要はないという利点がある。
【発明の効果】
【０００９】
本発明によれば、分割化及び小型化したベニヤ板に嵌合部を設けておき、それらを組み合わせ、更にセンタ役物などの樹脂部材で覆って補強することにより、接合強度を増加している。このため、ベニヤ板の材質に依存する不良を低減すると共に、ベニヤ板の廃棄部分を減少させることができる。また、複数のベニヤ板を組み合わせているので、種々の盤面サイズに対応することができる。
【発明を実施するための最良の形態】
【００１０】
以下、本発明の実施の形態を、図面を参照して説明する。なお、以下の説明において参照する各図では、他の図と同等部分は同一符号によって示されている。
（遊技盤を構成する主要な部材）
本発明の実施形態による遊技盤は、図１に示されているように、上ベニヤ板４１と、下ベニヤ板４２と、これら上ベニヤ板４１及び下ベニヤ板４２それぞれと接合される左ベニヤ板４３及び右ベニヤ板４４と、上ベニヤ板４１及び左ベニヤ板４３並びに下ベニヤ板４２の接合状態を補強する左補強部材４５Ｌと、上ベニヤ板４１及び右ベニヤ板４４並びに下ベニヤ板４２の接合状態を補強する右補強部材４５Ｒと、各ベニヤ板４１〜４４の接合状態において、その接合された状態の盤面の一主面のうち、それらの接合された領域を覆うセンタベース４０とを含んで構成されている。このように、分割化及び小型化したベニヤ板に嵌合部を設けておき、それらを組み合わせることにより、反りなどベニヤ板の材質に依存する不良を低減すると共に、ベニヤ板の廃棄部分を減少させることができる。また、複数のベニヤ板を組み合わせているので、種々の盤面サイズに対応することができる。
【００１１】
センタベース４０は例えば樹脂で構成されている部材である。このセンタベース４０はサイドランプや通過チャッカなどの機能を有していても良い。このセンタベース４０は前飾りなどと一体になっていても良い。
上ベニヤ板４１の下辺にはアーチ状の切欠４１ｃが設けられている。切欠４１ｃの左に位置する左下辺４１ＬＤは左ベニヤ板４３の上辺４３Ｕと略同一の長さを有し、それら両辺が接合される。また、切欠４１ｃの右に位置する右下辺４１ＲＤは右ベニヤ板４４の上辺４４Ｕと略同一の長さを有し、それら両辺が接合される。
左ベニヤ板４３の下辺４３Ｄは下ベニヤ板４２の上辺４２Ｕの左側に、右ベニヤ板４４の下辺４４Ｄは下ベニヤ板４２の上辺４２Ｕの右側に、それぞれ接合される。つまり、左ベニヤ板４３、右ベニヤ板４４を挟んで上下に、上ベニヤ板４１、下ベニヤ板４２が接合されることになる。
【００１２】
（各部材の接合部分）
各ベニヤ板４１〜４４の接合部分は、例えば図２に示されているように嵌合状態になっている。すなわち、２つの部材、例えば、上ベニヤ板４１の右下辺４１ＲＤ及び右ベニヤ板４４の上辺４４Ｕに、嵌合状態で接合するための加工がそれぞれ施されており、両者がこの嵌合部によって接合されている。他の辺や部材同士の接合箇所にも同様に嵌合部が設けられており、その嵌合部によって部材同士が接合される。
図２には２つの部材の一方を凹部、他方を凸部にすることによって嵌合している例が示されているが、凹部及び凸部を別の形状にしても良い。例えば、嵌合部を、図３や図４に示されているような形状に加工しても良い。図２〜図４に示されているような嵌合部は、周知のルータによって加工することができる。
【００１３】
（各部材の接合及び補強）
これら各ベニヤ板４１〜４４を接合した状態が図５に示されている。同図においては、上ベニヤ板４１の左辺４１Ｌと、左ベニヤ板４３の左辺４３Ｌと、下ベニヤ板４２の左辺４２Ｌとが直線状になり、かつ、上ベニヤ板４１の右辺４１Ｒと、右ベニヤ板４４の右辺４４Ｒと、下ベニヤ板４２の右辺４２Ｒとが直線状になるように、各ベニヤ板４１〜４４が接合されている。
【００１４】
さらに、図５に示されている状態において、その左右両側を左補強部材４５Ｌ及び右補強部材４５Ｒで補強した状態が図６に示されている。同図においては、上ベニヤ板４１の左辺４１Ｌと、左ベニヤ板４３の左辺４３Ｌと、下ベニヤ板４２の左辺４２Ｌとが常に直線状になるように、それらを補強するための左補強部材４５Ｌが設けられている。また、上ベニヤ板４１の右辺４１Ｒと、右ベニヤ板４４の右辺４４Ｌと、下ベニヤ板４２の右辺４２Ｒとが常に直線状になるように、それらを補強するための右補強部材４５Ｒが設けられている。このように左補強部材４５Ｌ及び右補強部材４５Ｒで補強した状態であれば、これを従来の遊技盤と同様の工程で加工しても問題は生じない。すなわち、この図６に示されている状態であれば、さらに必要な孔部１００、２６０、１４０などを設けて図７に示されている状態にしても、強度的な問題は生じない。このため、以降の加工工程は一般的な遊技盤と同様に行うことができる。
【００１５】
図７に示されている状態において、表面にセルを貼り付け、遊技釘やガイドレールなどの部品を取付けた状態を簡略的に示したものが図８である。図８において、嵌合部７０Ｌによって上ベニヤ板４１と左ベニヤ板４３とが、嵌合部７０Ｒによって上ベニヤ板４１と右ベニヤ板４４とが、嵌合部７１Ｌによって左ベニヤ板４３と下ベニヤ板４２とが、嵌合部７１Ｒによって右ベニヤ板４４と下ベニヤ板４２とが、それぞれ接合されている。
【００１６】
（組合せた部材同士の接続関係）
次に、この図８の状態について、同図中の各部の断面図を参照して説明する。
図９は、図８中のＡ−Ａ部に対応する断面図である。同図に示されているように、左ベニヤ板４３、右ベニヤ板４４の表面に、センタベース４０が設けられている。このセンタベース４０は、遊技釘３３によって固定されている。
遊技釘は、図１０に示されているように、センタベース４０を貫通して左ベニヤ板４３（又は右ベニヤ板４４）に打ち込まれている。これにより、センタベース４０が左ベニヤ板４３（又は右ベニヤ板４４）に固定される。この場合、センタベース４０の遊技釘を設けるべき位置に、予め凹部を設けておくことにより、遊技釘３３をスムーズに打ち込むことができる。
【００１７】
なお、全ての遊技釘が図１０に示されているようにセンタベース４０を貫通して打ち込まれている必要はなく、例えば、図１１に示されているように、センタベース４０に予めスリット４０ｂを設けておき、このスリット４０ｂを通して遊技釘を左ベニヤ板４３（又は右ベニヤ板４４）に直接打ち込むようにしても良い。
図９に戻り、センタベース４０の上には、ガイドレール４が設けられている。このガイドレール４を設ける位置に、予め凹部やスリットを設けておいても良い。
また、本例では、別々に作成したセンタベース４０と前飾り４０ａとを設けているが、これらを一体に作成したものを設けても良い。なお、同図に示されているように左ベニヤ板４３の左辺には左補強部材４５Ｌ、右ベニヤ板４４の右辺には右補強部材４５Ｒ、がそれぞれ設けられ、これらによってベニヤ板同士の接合状態が補強されている。
【００１８】
図１２は、図８中のＢ−Ｂ部に対応する断面図である。同図に示されているように、上ベニヤ板４１、下ベニヤ板４２の表面に、センタベース４０が設けられている。このセンタベース４０は、遊技釘３３によって固定されている。遊技釘３３は、図１０を参照して上述したように、センタベース４０を貫通して上ベニヤ板４１、下ベニヤ板４２に打ち込まれることにより、センタベース４０が上ベニヤ板４１、下ベニヤ板４２に固定される。この場合、センタベース４０の遊技釘を設けるべき位置に、予め凹部を設けておくことにより、遊技釘３３をスムーズに打ち込むことができる。
全ての遊技釘がセンタベース４０を貫通して打ち込まれている必要はなく、図１１を参照して上述したように、センタベース４０に予めスリットを設けておき、このスリットを通して遊技釘を上ベニヤ板４１、下ベニヤ板４２に直接打ち込むようにしても良い。
なお、ガイドレール４を設ける位置に、予め凹部やスリットを設けておいても良い。
【００１９】
（遊技釘による接合状態）
図１３は、図８中のＣ−Ｃ部に対応する断面図である。同図に示されているように、上ベニヤ板４１及び右ベニヤ板４４には、それぞれ互いに嵌合するための凹部及び凸部が設けられており、この嵌合部に同図に示されているように、遊技釘３３が打ち込まれる。他のベニヤ同士の嵌合部にも同様に遊技釘３３が打ち込まれる。
このように、ベニヤ板の凹部と凸部とが嵌合している位置に遊技釘３３を打ち込むことにより、ベニヤ板同士が嵌合状態で固定される。つまり、複数の部材同士が接合された状態において、この嵌合部に遊技釘が設けられており、この遊技釘により、複数の部材同士の接合状態が維持されている。この遊技釘は、遊技盤にもともと設けるべきものである。この遊技釘を用いてベニヤ同士の嵌合状態を維持することで、嵌合状態を維持するための固定具などを別に用意する必要はないという利点がある。
【００２０】
（補強部材の構成）
図１４は図８中のＤ−Ｄ部に対応する断面図である。同図に示されているように、上ベニヤ板４１に左補強部材４５Ｌが当接した状態で設けられている。この左補強部材４５Ｌは、上ベニヤ板４１の一主面である表面４１Ａに当接する第１面４５ＬＡと、上ベニヤ板４１の他主面である裏面４１Ｂに当接する第２面４５ＬＢと、これら第１面４５ＬＡと第２面４５ＬＢとを接続しかつ表面４１Ａ及び裏面４１Ｂ以外の面である側面に相当する左辺４１Ｌに当接する面４５ＬＣとを含んで構成されている。
【００２１】
また、左補強部材４５Ｌには、その第１面４５ＬＡ、第２面４５ＬＢに対応する位置に、孔部４５ａ、４５ｂがそれぞれ設けられ、更に上ベニヤ板４１の対応する位置にも孔部４１ａが設けられている。これらの孔部４５ａ、４５ｂ、４１ａによって貫通孔が形成され、この貫通孔にピンＰが挿入されている。左補強部材４５Ｌが他のベニヤ板と当接している部分にも、同様な貫通孔が設けられ、その貫通孔にピンＰが挿入されているものとする。右補強部材４５Ｒについても同様な構造になっているものとする。図８に示されている場合は、左補強部材４５Ｌの上下に１本ずつピンＰが設けられ、右補強部材４５Ｒの上下に１本ずつピンＰが設けられ、遊技盤全体で４本のピンＰが設けられている。
【００２２】
（変形例など）
遊技盤に各種の部品を設けるなど、その他の遊技機の組立て工程については、従来の遊技機の組立て工程と同様なので、その説明を省略する。
強度的な問題が生じなければ、各ベニヤ板４１〜４４の全て又は一部を樹脂製の板に置き換えても良い。
上記の説明では、遊技盤を構成するベニヤ板の数は４であるが、この数に限定されることはなく、複数の部材に分割したベニヤ板を接合して遊技盤を構成すれば良い。このように、分割化及び小型化したベニヤ板に嵌合部を設け、それらを組み合わせ、更にセンタ役物などの樹脂部品で覆って補強することにより、接合強度を増加できると共に、ベニヤ板の材質に依存する不良を低減し、更にベニヤ板の廃棄部分を減少させることができる。
また、複数のベニヤ板を組み合わせているので、種々の盤面サイズに対応することができる。すなわち、盤面の孔部分の大きさや位置を変更すれば、遊技機各機種の遊技盤に対応することができる。例えば、空間部分を小さくすることにより、いわゆる羽根物を有する機種の遊技盤などにも対応することができる。
【産業上の利用可能性】
【００２３】
本発明によれば、分割化及び小型化したベニヤ板に嵌合部を設けておき、それらを組み合わせているため、ベニヤ板の材質に依存する不良を低減すると共に、ベニヤ板の廃棄部分を減少させることができる。また、複数のベニヤ板を組み合わせているので、種々の盤面サイズに対応することができる。
【図面の簡単な説明】
【００２４】
【図１】本発明の実施形態による遊技盤の構成を示す図である。
【図２】各ベニヤ板の接合部分の一例を示す断面図である。
【図３】各ベニヤ板の接合部分の他の例を示す断面図である。
【図４】各ベニヤ板の接合部分の別の例を示す断面図である。
【図５】各ベニヤ板を接合した状態を示す図である。
【図６】図５に示されている状態において、その左右両側を補強部材で補強した状態を示す図である。
【図７】図６に示されている状態において、必要な孔部を設けた状態を示す図である。
【図８】図７に示されている状態において、表面にセルを貼り付け、遊技釘やガイドレールなどの部品を取付けた状態を簡略的に示す図である。
【図９】図８中のＡ−Ａ部に対応する断面図である。
【図１０】ベニヤ板に対して遊技釘が打ち込まれた状態の一例を示す図である。
【図１１】ベニヤ板に対して遊技釘が打ち込まれた状態の他の例を示す図である。
【図１２】図８中のＢ−Ｂ部に対応する断面図である。
【図１３】図８中のＣ−Ｃ部に対応する断面図である。
【図１４】図８中のＤ−Ｄ部に対応する断面図である。
【図１５】一般的な遊技盤の構成を示す図である。
【図１６】一般的な遊技盤に用いられるベニヤ板の構成を示す図である。
【符号の説明】
【００２５】
２  遊技盤
４  ガイドレール
６  遊技部
８  特別図柄表示装置
１０  始動入賞口
１２  大入賞口ユニット
１４  アウト口
１８  ゲート
２０  風車
２２  サイドランプ
２４  一般入賞口
２６  大入賞口
２６ａ  入賞用開口
２６ｂ  開閉板
３０、３２  ユニット部材
３３  遊技釘
４０  センタベース
４０ａ  前飾り
４０ｂ  スリット
４１  上ベニヤ板
４１ａ  孔部
４１ｃ  切欠
４２  下ベニヤ板
４３  右ベニヤ板
４４  右ベニヤ板
４５ａ  孔部
４５Ｒ  右補強部材
４５Ｌ 左補強部材
７０Ｌ、７０Ｒ、７１Ｌ、７１Ｒ  嵌合部
８０  孔部
１００  孔部
１４０  孔部
２００  ベニヤ板
２２０ａ  長孔部
２２０ｂ  長切欠部
２６０  孔部
Ｐ  ピン
【図１】
2005168988.tif 000003
【図２】
2005168988.tif 000004
【図３】
2005168988.tif 000005
【図４】
2005168988.tif 000006
【図５】
2005168988.tif 000007
【図６】
2005168988.tif 000008
【図７】
2005168988.tif 000009
【図８】
2005168988.tif 000010
【図９】
2005168988.tif 000011
【図１０】
2005168988.tif 000012
【図１１】
2005168988.tif 000013
【図１２】
2005168988.tif 000014
【図１３】
2005168988.tif 000015
【図１４】
2005168988.tif 000016
【図１５】
2005168988.tif 000017
【図１６】
2005168988.tif 000018